(57)【要約】【課題】集合住宅においても簡便にトイレの増設を行うことができるトイレユニットおよびトイレの増設方法を提供する。【解決手段】複数の便器１１，１２と、それら便器の各々に洗浄水を供給する共通の洗浄タンク２０と、各便器の排水を合流させて排水管に導く排水誘導管１６と、複数の便器の何れかに洗浄水を供給している際に、他の便器への洗浄水の供給を規制する規制手段とを備える。【選択図】図１
2007092304.tif 000002
【特許請求の範囲】
【請求項１】
複数の便器と、それら便器の各々に洗浄水を供給する共通の洗浄タンクと、各便器の排水を合流させて排水管に導く排水誘導管と、複数の便器の何れかに洗浄水を供給している際に、他の便器への洗浄水の供給を規制する規制手段とを備えることを特徴とするトイレユニット。
【請求項２】
既存の給排水管を利用してトイレを増設する方法であって、
既存の洗浄タンクおよび便器を撤去した後、
一対の便器と、それら便器の各々に洗浄水を供給する共通の洗浄タンクとを予め設定された位置に新設するとともに、
既存の給水管から新設の洗浄タンクに洗浄水を導く給水誘導管と、新設の洗浄タンクから新設の各便器に洗浄水を導く導水管と、新設の各便器の排水を合流させて既存の排水管に導く排水誘導管とをそれぞれ設け、さらに、
一方の便器に洗浄水を供給している際に、他方の便器への洗浄水の供給を規制する規制手段を設けることを特徴とするトイレの増設方法。
【請求項３】
既存の設備を利用してトイレを増設する方法であって、
既存の便器の近傍に便器を新設するとともに、
既存の洗浄タンクから新設の便器に洗浄水を導く導水管と、各便器の排水を合流させて既存の排水管に導く排水誘導管とを設け、さらに、
一方の便器に洗浄水を供給している際に、他方の便器への洗浄水の供給を規制する規制手段を設けることを特徴とするトイレの増設方法。
【請求項４】
上記規制手段は、一方の便器側において、洗浄水の供給を要求するレバーまたはボタンが操作された際に、その操作があったことを他方の便器側に報知する報知装置であることを特徴とする請求項２または３に記載のトイレの増設方法。
【請求項５】
上記規制手段は、一方の便器側において、洗浄水の供給を要求するレバーまたはボタンが操作された際に、その操作があったことを検知して、当該検知信号に基づいて他方の便器側のレバーまたはボタンの操作を無効にするとともに、洗浄タンク内の洗浄水が基準量に達した後に、他方の便器側のレバーまたはボタンの操作を可能にする制御を行う制御システムであることを特徴とする請求項２または３に記載のトイレの増設方法。
【請求項６】
上記規制手段は、洗浄タンク内の洗浄水が基準量に達する前段階で、一方の便器側において、洗浄水の供給を要求するレバーまたはボタンが操作された際に、その操作があったことを検知して洗浄予約として記憶するとともに、洗浄タンク内の洗浄水が基準量に達した際に、上記洗浄予約に基づいて、一方の便器に洗浄水を供給する制御を行う制御システムであることを特徴とする請求項２または３に記載のトイレの増設方法。
【発明の詳細な説明】
【技術分野】
【０００１】
本発明は、集合住宅においてトイレを増設する際に用いて好適なトイレユニットおよびトイレの増設方法に関するものである。
【背景技術】
【０００２】
従来より、家族構成の変化等に伴い、住宅においてトイレの増設を望む場合がある。このような場合、戸建住宅であれば、トイレ用の空間を確保したり、給排水管を増設したりすることが比較的容易である。しかしながら、集合住宅の場合には、通常、排水管が埋め込み配管となっているため、排水管の増設は容易ではなく、多大な費用と時間がかかることが多い。また、床のハツリ工事の際に生じる騒音や振動など、近隣に対する問題もある。そのため集合住宅においては、トイレの増設を行うことが実質不可能に近い状況であった。
【発明の開示】
【発明が解決しようとする課題】
【０００３】
本発明は、かかる事情に鑑みてなされたもので、集合住宅においても簡便にトイレの増設を行うことができ、これにより、トイレの増設に要する費用と時間を大幅に低減することができる上に、近隣に対する騒音や振動などの問題を解消することができるトイレユニットおよびトイレの増設方法を提供することを目的とする。
【課題を解決するための手段】
【０００４】
請求項１に記載の本発明に係るトイレユニットは、複数の便器と、それら便器の各々に洗浄水を供給する共通の洗浄タンクと、各便器の排水を合流させて排水管に導く排水誘導管と、複数の便器の何れかに洗浄水を供給している際に、他の便器への洗浄水の供給を規制する規制手段とを備えることを特徴とするものである。
【０００５】
請求項２に記載の本発明に係るトイレの増設方法は、既存の給排水管を利用してトイレを増設する方法であって、既存の洗浄タンクおよび便器を撤去した後、一対の便器と、それら便器の各々に洗浄水を供給する共通の洗浄タンクとを予め設定された位置に新設するとともに、既存の給水管から新設の洗浄タンクに洗浄水を導く給水誘導管と、新設の洗浄タンクから便器に洗浄水を導く導水管と、便器の排水を合流させて既存の排水管に導く排水誘導管とをそれぞれ設け、さらに、一方の便器に洗浄水を供給している際に、他方の便器への洗浄水の供給を規制する規制手段を設けることを特徴とするものである。
【０００６】
請求項３に記載の本発明に係るトイレの増設方法は、既存の設備を利用してトイレを増設する方法であって、既存の便器の近傍に便器を新設するとともに、既存の洗浄タンクから新設の便器に洗浄水を導く導水管と、各便器の排水を合流させて既存の排水管に導く排水誘導管とを設け、さらに、一方の便器に洗浄水を供給している際に、他方の便器への洗浄水の供給を規制する規制手段を設けることを特徴とするものである。
【０００７】
請求項４に記載の発明は、請求項２または３に記載のトイレの増設方法において、上記規制手段は、一方の便器側において、洗浄水の供給を要求するレバーまたはボタンが操作された際に、その操作があったことを他方の便器側に報知する報知装置であることを特徴とするものである。
【０００８】
請求項５に記載の発明は、請求項２または３に記載のトイレの増設方法において、上記規制手段は、一方の便器側において、洗浄水の供給を要求するレバーまたはボタンが操作された際に、その操作があったことを検知して、当該検知信号に基づいて他方の便器側のレバーまたはボタンの操作を無効にするとともに、洗浄タンク内の洗浄水が基準量に達した後に、他方の便器側のレバーまたはボタンの操作を可能にする制御を行う制御システムであることを特徴とするものである。
なお、上記基準量は、例えば便器の洗浄に最低限必要な量とされる。洗浄水を流す量が複数段階に調整可能なレバーの場合には、各段階毎に基準量を設定して有効／無効の切替を行うようにしてもよい。
【０００９】
請求項６に記載の発明は、請求項２または３に記載のトイレの増設方法において、上記規制手段は、洗浄タンク内の洗浄水が基準量に達する前段階で、一方の便器側において、洗浄水の供給を要求するレバーまたはボタンが操作された際に、その操作があったことを検知して洗浄予約として記憶するとともに、洗浄タンク内の洗浄水が基準量に達した際に、上記洗浄予約に基づいて、一方の便器に洗浄水を供給する制御を行う制御システムであることを特徴とするものである。
【発明の効果】
【００１０】
本発明によれば、既存の給排水管をそのまま使用することができるので、集合住宅においても簡便にトイレの増設を行うことができる。よって、トイレの増設に要する費用と時間を大幅に低減することができる上に、近隣に対する騒音や振動などの問題を解消することができる。
また、便器の何れかに洗浄水を供給している際に、他の便器への洗浄水の供給を規制するようにしたので、他の便器の排水を流すときには洗浄水が不足する心配はなく、適量の洗浄水を確実に他の便器に流すことができる。
【発明を実施するための最良の形態】
【００１１】
［第１の実施形態］
図１は、本発明に係るトイレユニットの一実施形態を示す概略構成図である。このトイレユニットは、２台の便器１１，１２と、それら便器１１，１２の各々に洗浄水を供給する１台の洗浄タンク２０とにより概略構成されている。本実施形態では、互いに隣接する２つのトイレ空間２Ａ，２Ｂの境界に仕切壁１が設けられ、この仕切壁１の開口部に洗浄タンク２０が設置され、仕切壁１を挟んで両側に便器１１，１２がそれぞれ設置されている。そして、洗浄タンク２０と各便器１１，１２とが、それぞれ導水管１３，１４を介して相互に接続されている。
【００１２】
また、本実施形態では、トイレの天井内または壁部に給水管が配設され、この給水管と洗浄タンク２０とが給水誘導管１５を介して相互に接続されている。一方、トイレの床下には排水管が埋設され、この排水管には排水誘導管１６が接続されている。排水誘導管１６は、一方の便器（以下、第１便器と称する）１１底部の排水口１１ａから延びて排水管に至る第１流路１６ａと、他方の便器（以下、第２便器と称する）１２の排水口１２ａから延びて床面近傍で第１流路１６ａに合流する第２流路１６ｂとを備えている。
【００１３】
洗浄タンク２０は、中央部が最頂部となり両端部に向かって傾斜する断面三角形状のタンクで、その一方の傾斜面２０ａが一方のトイレ空間２Ａに、他方の傾斜面２０ｂが他方のトイレ空間２Ｂにそれぞれ配置されている。各傾斜面２０ａ，２０ｂには、対応するトイレ空間２Ａ，２Ｂの便器１１，１２に洗浄水を流すためのレバーまたはボタン（以下、レバーと略称する）２１，２２がそれぞれ配設されている。
【００１４】
また、洗浄タンク２０の底部には、第１及び第２流路１６ａ，１６ｂに連通する一対の排水口２３ａ，２３ｂと、それら排水口２３ａ，２３ｂをそれぞれ開閉する浮きゴム２４ａ，２４ｂが設けられている。浮きゴム２４ａ，２４ｂは、その一端が洗浄タンク２０の底部に回動自在に取り付けられ、他端に鎖２５ａ，２５ｂが取り付けられている。この浮きゴム２４ａ，２４ｂは、常時は水圧に押されて排水口２３ａ，２３ｂを閉塞しているが、レバー２１，２２の操作により鎖２５ａ，２５ｂが牽引されると、他端が引き上げられる方向に回動して、排水口２３ａ，２３ｂを開放する。その後、鎖２５ａ，２５ｂの牽引が解除されると、他端が下がる方向に回動復帰して、再び排水口２３ａ，２３ｂを閉塞するようになっている。
【００１５】
また、洗浄タンク２０の内部には、浮き球２６が所定高さに達した際に給水誘導管１５からの給水を自動的に停止するボールタップ弁２７と、所定量を上回る洗浄水がタンク２０内に供給されたときに余剰の洗浄水を便器１１に流すオーバーフロー管（図示省略）とがそれぞれ設けられている。
【００１６】
さらに、この第１の実施形態においては、一方の便器１１（１２）側でレバー２１（２２）が操作された際に、その操作があったことを他方の便器１２（１１）側に報知する報知装置が設けられている。すなわち、本実施形態では、一方の便器１１（１２）に洗浄水を供給している際に他方の便器１２（１１）への洗浄水の供給を規制する規制手段が、報知装置により構成されている。報知装置としては、例えば、音（ブザー音、音楽、音声など）を使って報知するものや、光の点灯または点滅により報知するもの、或いは文字や記号等の表示により報知するものなどが挙げられるが、一方の便器１１（１２）側のレバー操作を他方の便器１２（１１）側に報知可能であれば如何なる形態のものであってもよい。また、レバー２１，２２の操作を検知する検知器としては、例えばレバー２１，２２の操作時に押圧されて作動するリミットスイッチや、レバー２１，２２の操作時に受光して作動する光電スイッチなどが挙げられるが、レバー２１，２２の操作を検知可能であれば如何なる方式のものであってもよい。
【００１７】
図２の例では、各レバー２１，２２にブザー２８が内蔵されて、レバー２１，２２を握ったときにブザー２８のスイッチ２８ａが押圧されてブザー音が出力されるように構成されている。また、図３の例では、レバー２１，２２の非使用時（図３（ａ））には光が当たらないが使用時（図３（ｂ））には光が当たる位置に光起電素子２９ａが配設され、この光起電素子２９ａが受光したときに、これに接続された音楽発生器２９ｂが作動するように構成されている。なお、ＬＥＤ等のランプの点灯により一方の便器１１（１２）側のレバー操作を他方の便器１２（１１）側に報知する場合には、他方の便器１２（１１）側に設置したランプを点灯させるようにしても、或いは一方の便器１１（１２）側に設置したランプを点灯させて、これを光ファイバ等で他方の便器１２（１１）側に導くようにしてもよい。
【００１８】
上記構成からなるトイレユニットにおいては、非使用時には、洗浄タンク２０内に所定量の洗浄水が貯留された状態となっている。このとき、ボールタップ弁２７は閉状態とされ、洗浄タンク２０の各排水口２３ａ，２３ｂは浮きゴム２４ａ，２４ｂによって閉塞されている。
【００１９】
この状態から、例えば第１便器１１側のレバー２１を操作すると、第１便器１１側の浮きゴム２４ａが回動して排水口２３ａが一定時間開放される。これにより、一定量の洗浄水が導水管１３を介して洗浄タンク２０から第１便器１１に供給され、その排水が排水誘導管１６を介して排水管に排出される。
また、レバー２１の操作と同時に報知装置が作動して、第１便器１１側でレバー操作があったことが第２便器１２側に伝えられる。これにより、第２便器１２の利用者は、レバー２２の操作を一時留保することができる。
【００２０】
また、洗浄水の供給により洗浄タンク２０内の水位が下がると、浮き球２６の下降によりボールタップ弁２７が開状態に変換されて、給水管から洗浄タンク２０内に洗浄水が供給される。
その後、洗浄タンク２０内の水位が上昇して浮き球２６が所定高さ位置に達すると（すなわち、洗浄水の補充が完了すると）、ボールタップ弁２７が再び閉状態に変換されて、洗浄水の供給が停止される。
【００２１】
この状態から、第２便器１２の利用者がレバー２２を操作すると、上記と同様に、一定量の洗浄水が洗浄タンク２０から第２便器１２に供給され、その排水が排水誘導管１６を介して排水管に排出される。また、レバー２２の操作と同時に報知装置が作動して、第２便器１２側でレバー操作があったことが第１便器１１側に伝えられる。また、浮き球２６の昇降によりボールタップ弁２７が自動的に開閉されて、第２便器１２に供給した量と同量の洗浄水が洗浄タンク２０内に補充される。
【００２２】
次に、上記トイレユニットを用いたトイレの増設方法について説明する。
例えば、既存のトイレが、始めから増設を想定していて、上記トイレユニットの洗浄タンク２０（既存の洗浄タンク）と第１便器１１（既存の便器）とにより構成されている場合には、第１便器１１の近傍に第２便器１２を新設して、洗浄タンク２０から第２便器１２に洗浄水を導く導水管１４と、各便器１１，１２の排水を既存の排水管に導く排水誘導管１６とをそれぞれ取り付ける。そして、前述した規制手段（本実施形態の場合には報知装置）を所定位置に設置するようにすればよい。
【００２３】
一方、既存のトイレが予め増設を想定していなかった場合には、既存の洗浄タンク、既存の便器、既存の排水誘導管等を撤去して、その代わりに、上記トイレユニットを設置するようにすればよい。すなわち、洗浄タンク２０、第１便器１１、第２便器１２及び上記規制手段を予め設定された位置に設置するとともに、洗浄タンク２０と各便器１１，１２とを導水管１３，１４により接続し、さらに既存の給水管と洗浄タンク２０とを給水誘導管１５で、既存の排水管と各便器１１，１２とを排水誘導管１６でそれぞれ接続するようにすればよい。
【００２４】
具体的には、先ず、防水用の養生をした後、給水管から洗浄タンク等に水が流れ込まないようにする。また、既存の洗浄タンクや便器等の水を抜いて空の状態にする。次いで、既存の便器と既存の排水管との接続、既存の洗浄タンクと既存の給水管との接続、既存の便器と洗浄タンクとの接続をそれぞれ切り、既存の便器と洗浄タンクを取り外す。次いで、洗浄タンク２０と各便器１１，１２の配置を決定した後、その決定に従って洗浄タンク２０を設置し、洗浄タンク２０と既存の給水管とを給水誘導管１５で接続する。その後、トイレ空間２Ａ，２Ｂの境界に仕切壁１を設置して、その両側の所定位置に便器１１，１２をそれぞれ設置し、それら便器１１，１２と洗浄タンク２０を導水管１３，１４で、各便器１１，１２と既存の排水管を排水誘導管１６でそれぞれ接続する。以上の作業が完了したら、給水管から洗浄タンクに水が流れるようにして、動作確認を行った後、防水用の養生を撤去する。これにより、トイレの増設工事が完了となる。
【００２５】
このように、本実施形態によれば、既存の給排水管をそのまま使用することができるので、集合住宅においても簡便にトイレの増設を行うことができる。よって、トイレの増設に要する費用と時間を大幅に低減することができる上に、増設時における騒音や振動などの問題を解消することができる。
また、一方の便器１１（１２）側でレバー２１（２２）が操作された際に、その操作があったことを他方の便器１２（１１）側に報知するようにしたので、レバー２１，２２の同時操作を防止して、水不足の発生を防止することができる。
【００２６】
［第２の実施形態］
図４は、本発明に係るトイレユニットの第２の実施形態を示すもので、上述した第１の実施形態と同一構成部分については、同一符号を付してその説明を簡略化する。
この第２の実施形態では、洗浄タンク２０の底部に一つの排水口２３が設けられ、この排水口２３を開閉する浮きゴム２４が浮きゴム駆動装置（図示省略）によって作動するようになっている。また、排水口２３から各便器１１，１２に至る導水管３０が、排水口２３から分岐点まで延びる主管３１と、分岐点から第１便器１１に至る第１分岐管３２ａと、分岐点から第２便器１２に至る第２分岐管３２ｂとにより構成され、分岐点には流路切替弁３３が配置されている。すなわち、洗浄水の供給先となる便器１１，１２が、流路切替弁３３によって選択的に切替可能となっている。
【００２７】
さらに、第２の実施形態では、一方の便器１１（１２）に洗浄水を供給している際に他方の便器１２（１１）への洗浄水の供給を規制する規制手段として、洗浄水の供給制御システムが設けられている。この制御システムは、各レバー２１，２２の操作を検知するセンサ（図示省略）と、それらセンサの検知信号に基づいて、浮きゴム駆動装置および流路切替弁３３を制御する制御装置（図示省略）とにより概略構成されている。制御装置は、主制御部、主制御部の制御下で浮きゴム駆動装置を制御する浮きゴム制御部、主制御部の制御下で流路切替弁３３を制御する弁制御部、レバーの操作データや各種制御データを記憶する記憶部等を備えている。
【００２８】
この制御システムにおいては、一方の便器１１（１２）側のレバー２１（２２）が操作された際に、その操作があったことをセンサにより検知して、当該検知信号に基づいて、浮きゴム駆動装置および流路切替弁３３を作動させて、一方の便器１１（１２）に洗浄水を供給する制御を行うとともに、一定時間、他方の便器１２（１１）側のレバー操作を無効にする制御を行う。
その後、洗浄タンク２０内の洗浄水が基準量に達した際に、それを検知して、他方の便器１２（１１）側のレバーの操作を可能にする（無効を解除する）制御を行う。
【００２９】
具体的には、例えば図５に示すように、第１便器１１側のレバー（以下、第１レバーと称する）２１が操作されると、その操作があったことをセンサにより検知して（ステップＳ１１）、第１レバー２１の操作を受理するか否かを制御装置で判定する（ステップＳ１２）。その際に、第１レバー２１の操作が無効となっている場合には、第１レバー２１の操作を受理せずに、洗浄水の供給処理を終了する。一方、第１レバー２１の操作が無効となっていない場合には、第１レバー２１の操作を受理した後、第２便器１２側のレバー（以下、第２レバーと称する）２２の操作を無効にして（ステップＳ１３）、第１レバー２１が操作されたことを第２便器１２側に報知するとともに（ステップＳ１４）、流路切替弁３３を制御して、洗浄タンク２０内の洗浄水が第１便器１１に供給されるように流路切替弁３３を切り替え（ステップＳ１５）、その後、浮きゴム駆動装置を制御して、洗浄タンク２０の排水口２３を一定時間開放する制御を行う（ステップＳ１６）。
【００３０】
その結果、洗浄タンク２０から第１便器１１に一定量の洗浄水が供給され、その排水が排水誘導管１６を介して排水管に排出される。また、浮き球２６の昇降によりボールタップ弁２７が自動的に開閉されて、第１便器１１に供給した量と同量の洗浄水が給水管から洗浄タンク２０に供給される。
【００３１】
その後、制御装置は、洗浄タンク２０内の洗浄水が基準量に達したことを検知すると（ステップＳ１７）、第２レバー２２の操作無効を解除して（ステップＳ１８）、第２レバー２２の操作が受理可能な状態になったことを第２便器１２側に報知する制御を行う（ステップＳ１９）。なお、洗浄タンク２０内の洗浄水が基準量に達したことを検知する方法としては、例えば、経過時間から推定する方法や、洗浄タンク２０内にセンサを設けて水位を直接測定する方法などが挙げられるが、何れを採用するようにしてもよい。
【００３２】
上記構成からなるトイレユニットを用いてトイレの増設を行う場合には、第１の実施形態と同様に、既存の洗浄タンク、既存の便器、既存の排水誘導管等を撤去して、その代わりに、上記トイレユニットを設置する方法と、既存の設備を残して、上記トイレユニットの便器１２など、一部設備を追加する方法とがあるが、どちらを採用するようにしてもよい。
何れにしても、既存の給排水管をそのまま使用することができるので、集合住宅においても簡便にトイレの増設を行うことができる。よって、トイレの増設に要する費用と時間を大幅に低減することができ、増設時における騒音や振動などの問題を解消することができる。
【００３３】
また、本実施形態では、一方の便器１１（１２）側のレバー２１（２２）が操作されてから一定時間のあいだ他方の便器１２（１１）側のレバー２２（２１）の操作を無効にするようにしたので、洗浄水の供給が両便器１１，１２同時に行われる心配はなく、予め設定された量の洗浄水を各便器１１，１２に確実に流すことができる。
【００３４】
［第３の実施形態］
上述した第２の実施形態では、一方の便器１１（１２）側のレバー２１（２２）が操作されてから一定時間のあいだは、他方の便器１２（１１）側のレバー２２（２１）の操作を無効にするようにしたが、この第３の実施形態では、他方の便器１２（１１）側のレバー２２（２１）の操作を無効とはせずに、洗浄予約として受け付け、一定時間経過後に、他方の便器１２（１１）に洗浄水を供給する制御を行うようにしている。
【００３５】
すなわち、本実施形態の制御システムにおいては、洗浄タンク２０内の洗浄水が基準量に達する前段階で、他方の便器１２（１１）側のレバー２２（２１）が操作された際に、その操作があったことをセンサにより検知して、当該検知信号に基づいてレバー操作データを洗浄予約として制御装置の記憶部に記憶する処理を行う。
そして、洗浄タンク２０内の洗浄水が基準量に達した際に、制御装置の記憶部に記憶された上記レバー操作データ（洗浄予約）に基づいて、浮きゴム駆動装置および流路切替弁３３を作動させて、他方の便器１２（１１）に洗浄水を供給する制御を行う。
【００３６】
具体的には、例えば図６に示すように、第１便器１１側の第１レバー２１が操作されると、その操作があったことをセンサにより検知して（ステップＳ２１）、第１便器１１への洗浄水の供給を直ちに実行するか否かを制御装置で判定する。
【００３７】
その際に、制御装置の記憶部の第１領域にレバー操作データ（第２レバー２２の操作データ）が記憶されておらず、洗浄タンク２０内の洗浄水が基準量に達している場合（すなわち、ステップＳ２２の判定で“Ｎ”の場合）には、センサの検知信号に基づいてレバー操作データ（第１レバー２１の操作データ）を記憶部の第１領域に記憶した後（ステップＳ２３）、第１便器１１への洗浄水の供給を直ちに実行すべく、記憶部の第１領域に記憶したレバー操作データに基づいて、流路切替弁３３を制御して、洗浄タンク２０内の洗浄水が第１便器１１に供給されるように流路切替弁３３を切り替え（ステップＳ２４）、その後、浮きゴム駆動装置を制御して、洗浄タンク２０の排水口２３を一定時間開放する制御を行う（ステップＳ２５）。その結果、洗浄タンク２０から第１便器１１に一定量の洗浄水が供給され、その排水が排水誘導管１６を介して排水管に排出される。また、浮き球２６の昇降によりボールタップ弁２７が自動的に開閉されて、第１便器１１に供給した量と同量の洗浄水が洗浄タンク２０に供給される。その後、制御装置は、洗浄タンク２０内の洗浄水が基準量に達したことを検知すると、記憶部の第１領域のレバー操作データ（第１レバー２１の操作データ）を消去する処理を行う。また、この際に、記憶部の第２領域にレバー操作データ（第２レバー２２の操作データ）が格納されている場合には、第２領域のレバー操作データを第１領域に記憶して、第２領域のレバー操作データを消去する処理を行う（ステップＳ２６）。
【００３８】
一方、第１レバー２１の操作があったことを検知したときに、記憶部の第１領域にレバー操作データ（第２レバー２２の操作データ）が既に記憶されている場合（すなわち、ステップＳ２２の判定で“Ｙ”の場合）には、センサの検知信号に基づいてレバー操作データ（第１レバー２１の操作データ）を洗浄予約として記憶部の第２領域に記憶し（ステップＳ２７）、例えば「少しお待ちください。用意ができたら自動的に洗浄します。」というように、洗浄予約を受け付けたことを第１便器１１側に報知する（ステップＳ２８）。その後、制御装置は、記憶部の第１領域に格納されたレバー操作データ（第２レバー２２の操作データ）の洗浄処理が終了して洗浄タンク２０内の洗浄水が基準量に達したことを検知すると（ステップＳ２９）、上述したように、記憶部の第２領域のレバー操作データ（第１レバー２１の操作データ）を第１領域に移した後（ステップＳ３０）、このレバー操作データに基づいて、浮きゴム駆動装置および流路切替弁３３を作動させて、第１便器１１に洗浄水を供給する制御を行う（ステップＳ２４，Ｓ２５）。その後、制御装置は、洗浄タンク２０内の洗浄水が基準量に達したことを検知すると、同様に、記憶部の第１領域のレバー操作データ（第１レバー２１の操作データ）を消去する処理を行う。また、この際に、記憶部の第２領域にレバー操作データ（第２レバー２２の操作データ）が格納されている場合には、第２領域のレバー操作データを第１領域に記憶して、第２領域のレバー操作データを消去する処理を行う（ステップＳ２６）。
【００３９】
本実施形態によれば、第１及び第２の実施形態と同様の作用効果が得られるのに加えて、一方の便器１１（１２）側のレバー２１（２２）が操作されてから一定時間経過する前に他方の便器１２（１１）側のレバー２２（２１）の操作があった場合に、洗浄予約として受け付け、一定時間経過後に、他方の便器１２（１１）に洗浄水を供給するようにしたので、他方の便器１２（１１）に流す洗浄水が不足する心配はなく、予め設定された量の洗浄水を他方の便器１２（１１）に確実に流すことができる。
また、本実施形態では、他方の便器１２（１１）側のレバー２２（２１）の操作を無効とはせずに、洗浄予約として受け付けるようにしたので、他方の便器１２（１１）側でレバー操作を再度行う必要がなく、利用者の利便性をより一層向上させることができる。
【００４０】
なお、以上の各実施形態では、便器の台数を２台としたが、本発明はこれに限定されるものではなく、３台以上であってもよい。また、各実施形態で示した洗浄タンク２０の形状やレバー２１，２２の設置位置、あるいは洗浄タンク２０の排水口の開閉機構などは一例であって、本発明はこれに限られるものではなく、適宜に変更することが可能である。
【図面の簡単な説明】
【００４１】
【図１】本発明に係るトイレユニットの第１の実施形態を示す概略構成図である。
【図２】ブザーを使用した報知装置の一例を示す断面図である。
【図３】音楽発生器を使用した報知装置の一例を示す断面図である。
【図４】本発明に係るトイレユニットの第２の実施形態を示す概略構成図である。
【図５】洗浄水の供給処理の実施例を示すフローチャートである。
【図６】洗浄水の供給処理の他の実施例を示すフローチャートである。
【符号の説明】
【００４２】
１１，１２  便器
１３，１４  導水管
１５  給水誘導管
１６  排水誘導管
２０  洗浄タンク
２１，２２  レバー
【図１】
2007092304.tif 000003
【図２】
2007092304.tif 000004
【図３】
2007092304.tif 000005
【図４】
2007092304.tif 000006
【図５】
2007092304.tif 000007
【図６】
2007092304.tif 000008